(57)【特許請求の範囲】
【請求項１】
収納設備に配設され、該収納設備に設けられた物品又は該収納設備の周囲を照明する照明装置であって、
発光する光源と、
前記光源が配設された基板と、
前記基板に配設された前記光源の前方に設けられ、前記基板の長手方向に沿って延在し前記光源の光を導出させる導光板と、
前記基板を保持し、前記基板の長手方向に沿って延在し開口部を有した筒状から成る保持部材と、
前記保持部材の両端又は片端に設けられ、前記導光板及び前記保持部材を支持する支持部材とを有し、
前記導光板は、前記光源に対面する一面と、該一面に対向する他面に、前記光源の光を拡散光として導出させる異なる大きさの凹状のドットパターンが形成され、
前記導光板の長手方向の両側面に突出凹状部が形成されており、当該突出凹状部が前記保持部材の導光板接合部に係留されること
を特徴とする照明装置。
【請求項２】
前記導光板の前記一面及び前記他面に、前記異なる大きさの凹状のドットパターンが、対面非同一に又は対面同一に形成されていること
を特徴とする請求項１に記載の照明装置。
【請求項３】
前記導光板の前記一面及び前記他面に、前記異なる大きさの凹状のドットパターンが、同一又は異なる間隔で形成されていること
を特徴とする請求項１に記載の照明装置。
【請求項４】
前記導光板の前記一面又は前記他面に、マトリクス状に形成された前記異なる大きさの凹状のドットパターンが、複数群設けられていること
を特徴とする請求項１に記載の照明装置。
【請求項５】
前記導光板の前記他面に形成された前記凹状のパターンは、前記導光板の前記一面に形成された前記凹状のドットパターンよりも大きいこと
を特徴とする請求項１に記載の照明装置。
【請求項６】
前記導光板は、前記基板の短手方向に沿って湾曲していること
を特徴とする請求項１に記載の照明装置。
【請求項７】
前記導光板は、前記光源に対面する該導光板の一面が前記光源に沿って内側に湾曲して形成され、且つ該導光板の前記一面に対向する他面が複数の凸状の曲面から形成されていること
を特徴とする請求項１に記載の照明装置。
【請求項８】
前記収納設備に配設され、取手、ハンガー、側壁、蝶番、又は梁として機能すること
を特徴とする請求項１に記載の照明装置。
【請求項９】
前記収納設備に設けられ、該収納設備に設けられた収納容器の動作に連動して移動する移動部材を更に有すること
を特徴とする請求項１に記載の照明装置。
【請求項１０】
前記光源に電気的に接続され、一定の照度以下の場合に前記光源への駆動電力の供給を指示する検出部材を更に有すること
を特徴とする請求項１に記載の照明装置。
【請求項１１】
前記支持部材を挿入する穴が形成され、該支持部材を固定する固定部材を更に有すること
を特徴とする請求項１に記載の照明装置。
【請求項１２】
前記固定部材は、該固定部材の内部に前記光源に駆動電力を供給する電源基板を備えたこと
を特徴とする請求項１１に記載の照明装置。
【発明の詳細な説明】
【技術分野】
【０００１】
本発明は、収納設備に配設され、該収納設備に設けられた物品又は該収納設備の周囲を照明する照明装置に関する。
【背景技術】
【０００２】
従来、陳列された商品を照明する陳列棚用照明具に関して、帯状の回路基板にＬＥＤと電源回路を実装し、安定器を収納するケースを不要とした上で、薄い棚板の前部に細い照明具を一体化するように配置した構成がある（例えば、特許文献１参照。）。
【０００３】
また、比較的広い面積を発光させる小型の照明装置に関して、ＬＥＤに近接させた第一レンズと該第一レンズの反ＬＥＤ側に位置させた第二レンズとを備え、第一レンズおよび第二レンズが、集光のためのシリンドリカルレンズから成り、そのレンズの入光面または出光面の少なくとも一面が長手方向に垂直な断面形状がなす表面の曲率を一定としない凸曲面で形成した構成がある（例えば、特許文献２参照。）。
【先行技術文献】
【特許文献】
【０００４】
【特許文献１】特開２０１０−１６７２１０号公報
【特許文献２】特開２００９−０４３５６６号公報
【発明の概要】
【発明が解決しようとする課題】
【０００５】
しかしながら、前述の様な構成では、間接照明としての機能は有しているが、例えば収納設備の収納容器に収納されている物品又は収納設備の周囲を、広範囲に照明することが困難であるという問題があった。
【０００６】
そこで、本発明は前述の技術的な課題に鑑み、例えば収納設備の収納容器に収納されている物品又は収納設備の周囲を広範囲に照明することにより、例えば複数載置された照明対象物を同時に且つ容易に確認することができる照明装置の提供を目的とする。
【課題を解決するための手段】
【０００７】
前述の課題を解決すべく、本発明に係る照明装置は、収納設備に配設され、該収納設備に設けられた物品又は該収納設備の周囲を照明する照明装置であって、発光する光源と、前記光源が配設された基板と、前記基板に配設された前記光源の前方に設けられ、前記基板の長手方向に沿って延在し前記光源の光を導出させる導光板と、前記基板を保持し、前記基板の長手方向に沿って延在し開口部を有した筒状から成る保持部材と、前記保持部材の両端又は片端に設けられ、前記導光板及び前記保持部材を支持する支持部材とを有し、前記導光板は、前記光源に対面する一面と、該一面に対向する他面に、前記光源の光を拡散光として導出させる異なる大きさの凹状のドットパターンが形成され、前記導光板の長手方向の両側面に突出凹状部が形成されており、当該突出凹状部が前記保持部材の導光板接合部に係留されることを特徴とする。
【発明の効果】
【０００８】
本発明に係る照明装置によれば、例えば収納設備の収納容器に収納されている物品又は収納設備の周囲を広範囲に照明することにより、例えば複数載置された照明対象物を同時に且つ容易に確認することができる。
【図面の簡単な説明】
【０００９】
【図１】本発明の第１の実施形態に係る照明装置を示す斜視図である。
【図２】本発明の第１の実施形態に係る照明装置を構成毎に分解して示す斜視図である。
【図３】本発明の第１の実施形態に係る照明装置の導光板を短手方向から示す断面図であり、（ａ）は一面と他面により平板状に形成された導光板を示す断面図、（ｂ）は一面と他面によりレンズ状に形成された導光板を示す断面図、（ｃ）は湾曲し一面に対向した他面にＶ字状の溝が形成された導光板を示す断面図、（ｄ）は一面から突出した他面にＶ字状の溝が形成された導光板を示す断面図、（ｅ）は曲面から成る一面及び他面により銀杏形に形成された導光板を示す断面図である。
【図４】本発明の第１の実施形態に係る照明装置の導光板を短手方向から示す断面図であり、（ａ）は凹状のパターンが湾曲し対向した一面と他面に対面同一に形成されている導光板を示す断面図、（ｂ）は凹状のパターンが湾曲し対向した一面と他面に対面非同一に形成されている導光板を示す断面図、（ｃ）はマトリクス状の凹状のパターンが湾曲し対向した一面と他面に対面非同一に形成されている導光板を示す断面図、（ｄ）は一面に形成された凹状のパターンと他面に形成された凹状のパターンの大きさが異なり且つ対面非同一に形成されている導光板を示す断面図、（ｅ）は一面に対向した他面の中央部に該他面から突出した突出面が形成され且つ他面と突出面の間に設けられた側面に凹状のパターンが対面非同一に形成されている導光板を示す断面図、（ｆ）は一面に対向した他面の中央部に該他面から突出した突出面が形成され且つ他面と突出面の間に設けられた側面に凹状のパターンが対面非同一に形成され更に突出面にＶ字状の溝が形成されている導光板を示す断面図、（ｇ）は平板状から成り一面と他面の間に設けられた側面に凹状のパターンが対面非同一に形成されている導光板を示す断面図、（ｈ）は平板状から成り一面と他面の間に設けられた側面に凹状のパターンが対面非同一に形成され且つ一面側の両端に保持部材の基板接合部と接合する切り欠きが形成されている導光板を示す断面図、（ｉ）は平板状から成り一面と他面の間に設けられた側面に凹状のパターンが対面非同一に形成され且つ他面にＶ字状の溝が形成されている導光板を示す断面図、（ｊ）は平板状から成り一面と他面の間に設けられた側面に凹状のパターンが対面非同一に形成され且つ他面にＶ字状の溝が形成され更に一面側の両端に保持部材の基板接合部と接合する切り欠きが形成されている導光板を示す断面図である。
【図５】本発明の第１の実施形態に係る照明装置において、導光板の一面に形成されたパターンの大きさと他面に形成されたパターンの大きさが同一であり且つ一面に形成されたパターンと比較して他面に形成されたパターンの密度が４倍であり更に一面に形成されたパターンに対して他面に形成されたパターンの位置がＸ軸及びＹ軸方向に所定の距離だけ離間している導光板を示す模式図であり、（ａ）は導光板を一面の方向から示す模式図、（ｂ）は導光板を側面の方向から示す模式図である。
【図６】本発明の第１の実施形態に係る照明装置において、導光板の一面に形成されたパターンの大きさが他面に形成されたパターンの大きさの４倍であり且つ一面に形成されたパターンと比較して他面に形成されたパターンの密度が４倍であり更に一面に形成されたパターンに対して他面に形成されたパターンの位置がＸ軸及びＹ軸方向に所定の距離だけ離間している導光板を示す模式図であり、（ａ）は導光板を一面の方向から示す模式図、（ｂ）は導光板を側面の方向から示す模式図である。
【図７】本発明の第１の実施形態に係る照明装置において、導光板の一面に形成されたパターンの大きさが他面に形成されたパターンの大きさの４倍であり且つ一面に形成されたパターンと比較して他面に形成されたパターンの密度が９倍であり更に一面に形成されたパターンに対して他面に形成されたパターンの位置がＸ軸及びＹ軸方向に所定の距離だけ離間している導光板を示す模式図であり、（ａ）は導光板を一面の方向から示す模式図、（ｂ）は導光板を側面の方向から示す模式図である。
【図８】本発明の第１の実施形態に係る照明装置において、導光板の一面に形成されたパターンの大きさが他面に形成されたパターンの大きさの４倍であり且つ一面にパターンがマトリクス状に複数群形成され他面にパターンが一様に形成され更に一面に形成されたパターンに対して他面に形成されたパターンの位置がＸ軸及びＹ軸方向に所定の距離だけ離間している導光板を示す模式図であり、（ａ）は導光板を一面の方向から示す模式図、（ｂ）は導光板を側面の方向から示す模式図である。
【図９】本発明の第１の実施形態に係る照明装置を収納容器の扉に配設した状態を示す斜視図であり、（ａ）は照明装置を収納容器の扉の開口部に配設した状態を示す斜視図、（ｂ）は照明装置を収納容器の扉の回動部に配設した状態を示す斜視図、（ｃ）は照明装置を収納容器の扉の下部に配設した状態を示す斜視図である。
【図１０】本発明の第１の実施形態に係る照明装置を収納容器に配設した状態を示す斜視図であり、（ａ）は照明装置を収納設備に設けられた収納容器Ｈの側板に配設した状態を示す斜視図、（ｂ）は照明装置を収納設備に設けられた収納容器Ｈの内壁に配設した状態を示す斜視図である。
【図１１】本発明の第２の実施形態に係る照明装置を収納容器の梁として用いている状態を示す斜視図である。
【図１２】本発明の第３の実施形態に係る照明装置を収納設備に配設している状態を示す斜視図であり、（ａ）は照明装置が収納設備の内部に格納されている状態を示す斜視図、（ｂ）は収納容器Ｈを引き出す動作に連動して照明装置が収納設備の外部に突出した態を示す斜視図である。
【図１３】本発明の第４の実施形態に係る照明装置を収納容器の扉の取手に用いた状態を示す斜視図である。
【図１４】本発明の第５の実施形態に係る照明装置を収納設備の壁面に設けられたハンガーに用いた状態を示す斜視図である。
【発明を実施するための形態】
【００１０】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。
【００１１】
また、以下の説明においては、最初に本発明の第１の実施形態に係る照明装置１について図１乃至図１０を参照しながら説明する。次に本発明の第２の実施形態に係る照明装置２について図１１を参照しながら説明する。次に本発明の第３の実施形態に係る照明装置３について図１２を参照しながら説明する。次に本発明の第４の実施形態に係る照明装置４について図１３を参照しながら説明する。次に本発明の第５の実施形態に係る照明装置５について図１４を参照しながら説明する。さらに本発明の第１乃至第５の実施形態に係る照明装置１乃至照明装置５に設けられた各導光板の製造方法について説明する。最後に本願発明に係る第１乃至第５の実施形態に係る照明装置１乃至照明装置５の構成と主な作用効果について請求項毎に説明する。
【００１２】
［第１の実施形態］
以下、本発明の第１の実施形態の照明装置１について、図１乃至図１０を参照しながら、具体的に説明する。
【００１３】
なお、第１の実施形態に係る照明装置１の説明においては、先ず図１乃至図８を参照しながら照明装置１の構成及び光学特性について説明し、次に図９及び図１０を参照しながら照明装置１の実施形態の例について説明する。
【００１４】
第１の実施形態の照明装置１の構成及び光学特性に関し、該照明装置１は、図１及び図２に示すように、光源１０、基板２０、導光板３０、保持部材４０、及び支持部材５０から構成されている。この様な照明装置１は、収納設備に配設され、該収納設備に設けられた物品又は該収納設備の周囲を照明する。以下、照明装置１の各構成について順に説明する。
【００１５】
第１の実施形態の照明装置１を構成する光源１０は、発光する。この様な光源１０には、図２に示すように、例えば、表面実装型の発光ダイオード（ＬＥＤ：ｌｉｇｈｔ  ｅｍｉｔｔｉｎｇ  ｄｉｏｄｅ）を用いる。また、光源１０は、例えば、後述する導光板３０の一面３０ａに対面するように、後述する基板２０に１列に複数個配列されている。なお、光源１０は、白色のＬＥＤに限定されることはなく、例えば白色、赤色、橙色、黄色、緑色、青色、藍色、又は紫色のいずれかの色若しくはそれらの色の組み合わせから成るＬＥＤで構成しても良い。また、光源１０は、紫外域又は赤外域の光を発するＬＥＤで構成しても良い。同様に、光源１０は、ＬＥＤに限定されることはなく、例えば、有機発光ダイオード、蛍光管、冷陰極管、又はネオン管で構成しても良い。
【００１６】
第１の実施形態の照明装置１を構成する基板２０は、光源１０が配設されている。ここで、基板２０は、外部から入力された列車の情報に基づき、光源１０に駆動電力を供給する。この様な基板２０には、例えば、加工性に優れたガラスエポキシ基板を用いる。ここで、図２に示すように、基板２０の表面２０ａに、光源１０が所定の配置で配設されている。また、基板２０の一端２０ｂ及び該一端２０ｂに対向した他端２０ｃが、後述する保持部材４０に接合されている。また、基板２０のコネクタ２０ｄは、基板２０の表面２０ａに配設され、例えば一定の照度以下の場合に光源１０への駆動電力の供給を指示する図示せぬ検出部材に接続された信号線、及び外部の電源から光源１０を駆動する電力が供給される電力線がそれぞれ接続された端子Ｋを、着脱可能に連結するためのものである。また、制御回路２０ｅは、基板２０の表面２０ａに配設され、コネクタ２０ｄ及び各光源１０に接続されている。ここで、制御回路２０ｅは、例えば一定の照度以下の場合に光源１０への駆動電力の供給を指示する図示せぬ検出部材から送信される信号に基づき、光源１０に対して駆動電力を供給し、又は光源１０に対する駆動電力の供給を停止する。
【００１７】
第１の実施形態の照明装置１を構成する導光板３０は、基板２０に配設された光源１０の前方に設けられ、基板２０の長手方向に沿って延在し光源１０の光を導出させる。ここで、導光板３０については、先ず導光板３０の基本的な構成について図１及び図２を参照しながら説明し、次に導光板３０の外形形状について図３の各図を参照しながら説明し、次に導光板３０に形成された凹状のパターンについて図４の各図を参照しながら説明し、さらに導光板３０に形成された凹状のパターンの応用例について図５乃至図８を参照しながら説明する。
【００１８】
先ず、導光板３０に関し、導光板の基本的な構成について、図１及び図２を参照しながら、具体的に説明する。
【００１９】
導光板３０は、例えば、図２に示すように、基板２０の長手方向に沿って延在し、且つ基板２０の短手方向に沿って湾曲している。ここで、導光板３０は、光源１０に対面し該光源２０から発光された光が入射される一面３０ａと、該一面３０ａに対向し光を導出する他面３０ｂが形成されている。また、導光板３０の第１保持部材接合部３０ｉ及び該第１保持部材接合部３０ｉに対向した第２保持部材接合部３０ｊは、それぞれコの字状に形成され、後述する保持部材４０に取り付けられている。また、導光板３０の材質に関し、該導光板３０は、例えば、アクリル樹脂板から成る。なお、導光板３０は、無色の樹脂板に限定されることは無く、着色された樹脂板を用いても良い。また、導光板３０は、例えば、可視域の光を照射されることにより拡散光を発する微粒子状の拡散部材を添加した樹脂板を用いても良い。同様に、導光板３０は、例えば紫外域や可視域の光を照射されることにより蛍光を発する蛍光剤を塗布又は添加した樹脂板を用いても良い。また、導光板３０には、それぞれ防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００２０】
次に、導光板３０に関し、導光板の外形形状について、図３の各図を参照しながら、具体的に説明する。
【００２１】
なお、図３に示した導光板３１乃至導光板３５の近傍には、発明の理解を容易にするために、基板２０に配設された光源１０を図示している。また、図３に示した導光板３１乃至導光板３５には、拡散光を発生させる凹状のパターン又は凸状のパターンが図示されていないが、例えば、後述する図４乃至図８の各図に示す凹状のパターンを形成しても良い。
【００２２】
導光板の外形形状に関し、図３（ａ）に示す導光板３１は、図２に示す導光板３０の変形例であり、導光板３１の一面３１ａと他面３１ｂがそれぞれ平面で形成され、該導光板３１の光が透過する部分の形状が平板状から成る。この様な導光板３１によれば、例えば、照明装置１を図示せぬ収納容器の扉の側面に配設した場合に、該収納容器の扉の側面と隣接する他の部材との間の密閉度を、高くすることができる。また、図３（ｂ）に示す導光板３２は、図２に示す導光板３０の変形例であり、導光板３２の一面３２ａの曲率半径よりも他面３２ｂの曲率半径が大きく形成され、該導光板３２の光が透過する部分の形状がレンズ状から成る。この様な導光板３２によれば、導光板３２の一面側に配設された光源１０から発せられた光が、導光板３２の一面３２ａ及び他面３２ｂでそれぞれ屈折されて集光されることから、照明対象物の大きさに合わせて照射光の配光角を設定することができる。
【００２３】
また、導光板の外形形状に関し、図３（ｃ）に示す導光板３３は、図２に示す導光板３０の変形例であり、導光板３３の一面３３ａと他面３３ｂがそれぞれ同一方向に湾曲して形成され、且つ他面３３ｂにＶ字状の溝が形成されている。この様な導光板３３によれば、一面３３ａから入射された光が、該一面３３ａに対して傾斜した他面３３ｂに照射されることにより、他面３３ｂから光を広角に導出させることができる。また、図３（ｄ）に示す導光板３４は、図２に示す導光板３０の変形例であり、導光板３４の一面３４ａから突出した他面３４ｂに、Ｖ字状の溝が形成されている。この様な導光板３４によれば、一面３４ａから入射された光が、該一面３４ａに対して傾斜した他面３４ｂで反射され、導光板３４の内部で多重反射し易くなる。したがって、導光板３４の他面３４ｂから外部に導出される光の割合が減少し、一側面３４ｅ及び他側面３４ｆからの光の取り出し効率を向上させることができる。また、導光板３４によれば、他面３４ｂにＶ字状の溝が形成されていることから、他面３４ｂから光を広角に導出させることができる。
【００２４】
また、導光板の外形形状に関し、図３（ｅ）に示す導光板３５は、光源１０に対面する該導光板３５の一面３５ａが光軸中心１０に沿って内側に湾曲して形成され、且つ該導光板３５の一面３５ａに対向する他面３５ｂが複数の凸状の曲面から形成されている。ここで、導光板３５は、光源１０の光軸中心１０ａと、導光板３５の他面３５ｂに２つ形成された凸状の第１曲面３５ｍ及び第２曲面３５ｎの境目とが、一致している。また、導光板３５の一面３５ａと他面３５ｂの間に設けられた一側面３５ｅ及び他側面３５ｆが、曲面から形成されている。この様な導光板３５によれば、一面３５ａが光源１０に沿って内側に湾曲して形成されていることから、一面３５ａに入射した光源１０の光が、導光板３５の内部に拡散した状態で伝搬する。さらに、光源１０の光軸中心１０ａと、導光板３５の他面３５ｂに２つ形成された凸状の第１曲面３５ｍ及び第２曲面３５ｎの境目とが、一致していることから、導光板３５の他面３５ｂから導出される光を、さらに拡散させると共に平坦化できる。具体的には、光源１０の光軸中心１０ａの中心から周辺に向かって、該光源１０の光量が相対的に低下するため、導光板３５の他面３５ｂの中心付近における光の導出効率よりも、導光板３５の他面３５ｂの中心から離間した箇所における光の導出効率の方が良くなるように、光源１０の光軸中心１０ａをはさむ様に、導光板３５の他面３５ｂに銀杏形から成る凸状の第１曲面３５ｍ及び第２曲面３５ｎが形成されている。
【００２５】
次に、導光板３０に関し、導光板に形成された凹状のパターンについて、図４の各図を参照しながら、具体的に説明する。
【００２６】
なお、図４の各図に示した導光板６１乃至導光板６８'には、発明の理解を容易にするために、拡散光を発生させる凹状のパターンを、大きく誇張して図示している。したがって、凹状又は凸状のパターンの大きさは、図４の各図に図示された大きさに限定されることはない。
【００２７】
導光板に形成された凹状のパターンに関し、図４（ａ）に示す導光板６１には、光源１０に対面する導光板６１の一面６１ａに凹状の一面側パターン６１ｃが形成され、且つ該一面側パターン６１ｃと対面同一になるように、導光板６１の他面６１ｂに対して凹状の他面側パターン６１ｄが形成されている。ここで、導光板６１の他面６１ｂ側から図示せぬ光源１０の方向に向かって一面６１ａを遠方から視認すると、一面６１ａに形成された一面側パターン６１ｃと他面６１ｂに形成された他面側パターン６１ｄとが重なった状態で認識されることから、一面側パターン６１ｃと他面側パターン６１ｄとが対面同一に形成されていると表現している。なお、導光板６１に形成された一面側パターン６１ｃ及び他面側パターン６１ｄに対して光源１０の光が照射されると、それぞれ拡散光が発生する。この様な導光板６１によれば、一面側パターン６１ｃ及び他面側パターン６１ｄで発生した複数の拡散光は略均一な面光源として、導光板６１から導出される。具体的には、一面６１ａに形成され他面６１ｂ側から視認される一面側パターン６１ｃで発生した拡散光の大部分と、他面６１ｂに形成され該他面６１ｂ側から視認される他面側パターン６１ｄで発生した拡散光の一部により、例えば収納設備に収納された物品が照明される。
【００２８】
また、導光板に形成された凹状のパターンに関し、図４（ｂ）に示す導光板６２には、光源１０に対面する導光板６２の一面６２ａに凹状の一面側パターン６２ｃが形成され、且つ該一面側パターン６２ｃと対面非同一になるように、導光板６２の他面６２ｂに対して凹状の他面側パターン６２ｄが形成されている。ここで、導光板６２の他面６２ｂ側から図示せぬ光源１０の方向に向かって一面６２ａを遠方から視認すると、一面６２ａに形成された一面側パターン６２ｃと他面６２ｂに形成された他面側パターン６２ｄとが重ならずに隣接した状態で認識されることから、一面側パターン６２ｃと他面側パターン６２ｄとが対面非同一に形成されていると表現している。なお、導光板６２に形成された一面側パターン６２ｃ及び他面側パターン６２ｄに対して光源１０の光が照射されると、それぞれ拡散光が発生する。この様な導光板６２によれば、図４（ａ）に示す導光板６１と同様の効果を得ることができる。さらに、図４（ａ）に示す導光板６１と比較して、図４（ｂ）に示す一面６２ａに形成された一面側パターン６２ｃと他面６２ｂに形成された他面側パターン６２ｄが対面非同一に形成されている導光板６２の方が、他面６２ｂ側から視認される単位面積当たりのパターンの数が増加するため、導光板６２の他面６２ｂ側から導出される光の明暗の差を小さくすることができる。
【００２９】
同様に、導光板に形成された凹状のパターンに関し、図４（ｃ）に示す導光板６３には、光源１０に対面する導光板６３の一面６３ａに凹状の一面側パターン６３ｃがマトリクス状に複数群形成され、且つ該一面側パターン６３ｃと対面非同一になるように、導光板６３の他面６３ｂに凹状の他面側パターン６３ｄがマトリクス状に複数群形成されている。なお、導光板６３に形成された一面側パターン６３ｃ及び他面側パターン６３ｄに対して光源１０の光が照射されると、それぞれ拡散光が発生する。この様な導光板６３によれば、導光板６２と同様の効果を得ることができる。さらに、導光板６３によれば、一面６３ａに形成された一面側パターン６３ｃと、他面６３ｂに形成された他面側パターン６３ｄとが、対面非同一であってマトリクス状に複数群形成されていることから、パターンの有無による拡散光の効果が強調され、一定の領域毎に光の明暗が発生する特徴を有した光を他面６３ｂ側から導出させることができる。
【００３０】
同様に、導光板に形成された凹状のパターンに関し、図４（ｄ）に示す導光板６４には、導光板６４の一面６４ａに形成された凹状の一面側パターン６４ｃと、他面６４ｂに形成された凹状の他面側パターン６３ｄが、異なる大きさで形成されている。具体的には、導光板６４では、一面側パターン６４ｃよりも他面側パターン６３ｄの方が大きく形成されている。また、導光板６４の一面６４ａに形成された一面側パターン６４ｃと、他面６４ｂに形成された他面側パターン６３ｄが、対面非同一になるように形成されている。なお、導光板６４に形成された一面側パターン６４ｃ及び他面側パターン６４ｄに光源１０の光が照射されると、それぞれ拡散光が発生する。この様な導光板６４によれば、導光板６２と同様の効果を得ることができる。ここで、導光板６４によれば、他面６４ｂに形成された他面側パターン６４ｄで発生する拡散光よりも、一面６４ａに形成された一面側パターン６４ｃで発生する拡散光の方が、該導光板６４の他面６４ｂ側から導出される割合が高い。一方、導光板６４では、一面側パターン６４ｃよりも他面側パターン６３ｄの方が大きく形成されていることから、一面側パターン６４ｃと比較して他面側パターン６３ｄの方が相対的に大きな拡散光が発生する。したがって、導光板６２の他面６２ｂから導出される光の明暗の差を小さくすることができる。
【００３１】
同様に、導光板に形成された凹状のパターンに関し、図４（ｅ）に示す導光板６５は、一面６５ａに対向した他面６５ｂの中央部に該他面６５ｂから突出した突出面６５ｒが形成され、且つ他面６５ｂと突出面６５ｒの間に設けられた側面に凹状のパターンが対面非同一に形成されている。具体的には、導光板６５の一側面６５ｅに形成された一側面側パターン６５ｇと、他側面６５ｆに形成された他側面側パターン６５ｈが、対面非同一に形成されている。また、光源１０に対面する導光板６５の一面６５ａに凹状の一面側パターン６５ｓが形成され、且つ該一面側パターン６５ｓと対面非同一になるように、導光板６５の他面６５ｂに対して凹状の他面側パターン６５ｔが形成されている。なお、導光板６５に形成された一面側パターン６５ｓ、他面側パターン６５ｔ、一側面側パターン６５ｇ、及び他側面側パターン６５ｈに光源１０の光が照射されると、それぞれ拡散光が発生する。この様な導光板６５によれば、導光板６２と同様の効果を得ることができる。さらに、導光板６５によれば、一側面６５ｅの一側面側パターン６５ｇと、他側面６５ｆの他側面側パターン６５ｈとが、光の入射面に相当する一面６５ａと同一の方向に形成されていることから、一面６５ａから入射した光が一側面側パターン６５ｇ及び他側面６５ｆの他側面側パターン６５ｈで効率良く拡散光に変換される。また、導光板６５によれば、他面６５ｂと突出面６５ｒの間に設けられた一側面６５ｅ及び他側面６５ｆに、拡散光を導出させるパターンが形成されていることから、導光板６１乃至導光板６４と比較して、拡散光を導出させる領域を拡大することができる。
【００３２】
同様に、導光板に形成された凹状のパターンに関し、図４（ｆ）に示す導光板６６は、一面６６ａに対向した他面６６ｂの中央部に該他面６６ｂから突出した突出面６６ｒが形成され、且つ他面６６ｂと突出面６６ｒの間に設けられた側面に凹状のパターンが対面非同一に形成され、更に突出面６６ｒにＶ字状の溝が形成されている。具体的には、導光板６６の一側面６６ｅに形成された一側面側パターン６６ｇと、他側面６６ｆに形成された他側面側パターン６６ｈが、対面非同一に形成されている。更に、導光板６６の突出面６６ｒに、Ｖ字状の溝が形成されている。なお、導光板６６に形成された一側面側パターン６６ｇ及び他側面側パターン６６ｈに光源１０の光が照射されると、それぞれ拡散光が発生する。この様な導光板６６によれば、導光板６５と同様の効果を得ることができる。さらに、導光板６６によれば、突出面６６ｒにＶ字状の溝が形成されていることから、一面６６ａから入射された光が、該一面６６ａに対して傾斜した突出面６６ｒで反射され、導光板６６の内部で多重反射し易い。したがって、導光板６６の突出面６６ｒから外部に導出される光の割合が減少し、一側面６６ｅ及び他側面６６ｆからの光の取り出し効率を向上させることができる。また、導光板６６によれば、突出面６６ｒにＶ字状の溝が形成されていることから、光を突出面６６ｒから広角に導出させることができる。
【００３３】
同様に、導光板に形成された凹状のパターンに関し、図４（ｇ）に示す導光板６７は、平板状から成り、一面６７ａと他面６７ｂの間にそれぞれ設けられた一側面６６ｅ及び他側面６６ｆに、一側面側パターン６７ｇ及び他側面側パターン６７ｈが対面非同一に形成されている。なお、導光板６７に形成された一側面側パターン６７ｇ及び他側面側パターン６７ｈに光源１０の光が照射されると、それぞれ拡散光が発生する。この様な導光板６７によれば、図４（ｅ）に示す導光板６５と同様の効果を得ることができる。さらに、導光板６７によれば、外形形状が簡素であることから、製造コストを低減することができる。なお、導光板６７は、該導光板６７の一面６７ａ側の両端に形成された第１凹状部６７ｍ及び第２凹状部６７ｎを、図２に示す保持部材４０の第１基板接合部４０ｃ及び第２基板接合部４０ｄに挿入して固定する。
【００３４】
同様に、導光板に形成された凹状のパターンに関し、図４（ｈ）に示す導光板６７'は、図４（ｇ）に示す導光板６７と基本的に同様の仕様である。但し、導光板６７'には、保持部材４０の第１基板接合部４０ｃ及び第２基板接合部４０ｄと接合する第１切欠部６７'ｐ及び第２切欠部６７'ｑが、一面６７ａ'側の両端に形成されている。この様な導光板６７'によれば、図４（ｇ）に示す導光板６７と同様の効果を得ることができる。さらに、導光板６７'によれば、導光板６７と同様に、外形形状が簡素であることから、製造コストを低減することができる。なお、導光板６７'は、該導光板６７'の一面６７ａ側の両端に形成された第１切欠部６７'ｐ及び第２切欠部６７'ｑを、図２に示す保持部材４０の第１基板接合部４０ｃ及び第２基板接合部４０ｄの間に接合した状態で、例えば、図示せぬネジ等でネジ留めして固定する。
【００３５】
同様に、導光板に形成された凹状のパターンに関し、図４（ｉ）に示す導光板６８は、平板状から成り、一面６８ａと他面６８ｂの間にそれぞれ設けられた一側面６８ｅ及び他側面６８ｆに、一側面側パターン６８ｇ及び他側面側パターン６８ｈが対面非同一に形成されている。また、導光板６８の他面６８ｂには、Ｖ字状の溝が形成されている。なお、導光板６８に形成された一側面側パターン６８ｇ及び他側面側パターン６８ｈに光源１０の光が照射されると、それぞれ拡散光が発生する。この様な導光板６８によれば、図４（ｆ）に示す導光板６６と同様の効果を得ることができる。さらに、導光板６８によれば、外形形状が簡素であることから、製造コストを低減することができる。なお、導光板６８は、導光板６７と同様に、該導光板６８の一面６８ａ側の両端に形成された第１凹状部６８ｍ及び第２凹状部６８ｎを、図２に示す保持部材４０の第１基板接合部４０ｃ及び第２基板接合部４０ｄに挿入して固定する。
【００３６】
同様に、導光板に形成された凹状のパターンに関し、図４（ｊ）に示す導光板６８'は、図４（ｉ）に示す導光板６８と基本的に同様の仕様である。但し、導光板６８'には、保持部材４０の第１基板接合部４０ｃ及び第２基板接合部４０ｄと接合する第１切欠部６８'ｐ及び第２切欠部６８'ｑが、一面６８ａ'側の両端に形成されている。この様な導光板６８'によれば、図４（ｉ）に示す導光板６８と同様の効果を得ることができる。さらに、導光板６８'によれば、導光板６８と同様に、外形形状が簡素であることから、製造コストを低減することができる。なお、導光板６８'は、導光板６７'と同様に、該導光板６８'の一面６８ａ側の両端に形成された第１切欠部６８'ｐ及び第２切欠部６８'ｑを、図２に示す保持部材４０の第１基板接合部４０ｃ及び第２基板接合部４０ｄの間に接合した状態で、例えば、図示せぬネジ等でネジ留めして固定する。
【００３７】
さらに、導光板３０に関し、導光板に形成された凹状のパターンの応用例について、図５乃至図８を参照しながら、具体的に説明する。
【００３８】
なお、図５乃至図８に示した導光板７１乃至導光板７４は、発明の理解を容易にするために、一例として、湾曲していない平板状の外形形状として、図示している。したがって、図５乃至図８に示した導光板７１乃至導光板７４は、例えば、図４（ａ）に示すような湾曲した板状の外形形状としても良い。さらに、図５乃至図８に示した導光板７１乃至導光板７４の構成は、例えば、図４（ｇ）や図４（ｉ）に示す各導光板の構成に適用しても良い。
【００３９】
導光板３０に形成された凹状のパターンの応用例に関し、図５に示す導光板７１において、他面７１ｂに形成された他面側パターン７１ｄと、一面７１ａに形成され他面７１ｂ側から視認される一面側パターン７１ｃが、同一の大きさになるように形成されている。また、導光板７１において、他面７１ｂに形成された他面側パターン７１ｄが、一面７１ａに形成された一面側パターン７１ｃと比較して、４倍の密度になるように形成されている。なお、導光板７１は、他面７１ｂに形成された他面側パターン７１ｄのＸ軸及びＹ軸方向に係るピッチが例えば３ｍｍ、且つ一面７１ａに形成された一面側パターン７１ｃのＸ軸及びＹ軸方向に係るピッチが例えば６ｍｍであり、該ピッチの比が２であることから、一面側パターン７１ｃに対する他面側パターン７１ｄの密度を４（２の２乗）倍と表現している。この様な導光板７１によれば、例えば領域７１ｋに示すように、一面７１ａに形成され他面７１ｂ側から視認される一面側パターン７１ｃが、他面７１ｂに形成された他面側パターン７１ｄに対して、一つ置きに隣接して視認されるように形成されている。具体的には、導光板７１において、一面側パターン７１ｃの位置は、他面側パターン７１ｄに対して一面側パターン７１ｃの半分の大きさに相当する距離だけ、Ｘ軸及びＹ軸方向に異ならせて形成されている。したがって、導光板７１を用いれば、他面７１ｂ側から導光板７１を視認した場合に、一面側パターン７１ｃが一つ置きに他面側パターン７１ｄに対して隣接していることから、所定の周期的な模様を有した面光源として用いることができる。
【００４０】
また、導光板に形成された凹状のパターンの応用例に関し、図６に示す導光板７２において、一面７２ａに形成され他面７２ｂ側から視認される一面側パターン７２ｃが、他面７２ｂに形成された他面側パターン７２ｄと比較して、４倍の大きさになるように形成されている。また、導光板７２において、他面７２ｂに形成された他面側パターン７２ｄが、一面７２ａに形成された一面側パターン７２ｃと比較して、４倍の密度になるように形成されている。なお、導光板７２は、他面７２ｂに形成された他面側パターン７２ｄのＸ軸及びＹ軸方向に係るピッチが例えば３ｍｍ、且つ一面７２ａに形成された一面側パターン７２ｃのＸ軸及びＹ軸方向に係るピッチが例えば６ｍｍであり、該ピッチの比が２であることから、一面側パターン７２ｃに対する他面側パターン７２ｄの密度を４（２の２乗）倍と表現している。この様な導光板７２によれば、導光板７１と同様の効果を得ることができる。また、導光板７２によれば、例えば領域７２ｋに示すように、他面７２ｂに形成された４つの他面側パターン７２ｄの中心部に、一面７２ａに形成され他面７２ｂ側から視認される一面側パターン７２ｃが位置するよう、他面側パターン７２ｄに対する一面側パターン７２ｃの位置を、所定の距離だけＸ軸及びＹ軸方向に異ならせている。したがって、他面７２ｂ側から導光板７２を視認した場合に、４つの他面側パターン７２ｄの中心部に、大きさが他面側パターン７２ｄの４倍の一面側パターン７２ｃが位置していることから、導光板７１よりも識別容易な所定の周期的な模様を有した面光源として用いることができる。
【００４１】
同様に、導光板に形成された凹状のパターンの応用例に関し、図６に示す導光板７２において、該導光板７２によれば、他面７２ｂに形成された他面側パターン７２ｄで発生する拡散光よりも、一面７２ａに形成された一面側パターン７２ｃで発生する拡散光の方が、該導光板７２の他面７２ｂ側から導出される割合が高いため、他面７２ｂ側から効率良く光を導出させることができる。
【００４２】
また、導光板に形成された凹状のパターンの応用例に関し、図７に示す導光板７３において、一面７３ａに形成され他面７３ｂ側から視認される一面側パターン７３ｃが、他面７３ｂに形成された他面側パターン７３ｄと比較して、４倍の大きさになるように形成されている。さらに、導光板７３において、他面７３ｂに形成された他面側パターン７３ｄが、一面７３ａに形成された一面側パターン７３ｃと比較して、９倍の密度になるように形成されている。なお、導光板７３は、他面７３ｂに形成された他面側パターン７３ｄのＸ軸及びＹ軸方向に係るピッチが例えば２ｍｍ、且つ一面７３ａに形成された一面側パターン７３ｃのＸ軸及びＹ軸方向に係るピッチが例えば６ｍｍであり、該ピッチの比が３であることから、一面側パターン７３ｃに対する他面側パターン７３ｄの密度を９（３の２乗）倍と表現している。この様な導光板７３によれば、導光板７２と同様の効果を得ることができる。また、導光板７３によれば、例えば領域７３ｋに示すように、他面７３ｂに形成された他面側パターン７３ｄのピッチ２ｍｍが、一面７３ａに形成され他面７３ｂ側から視認される一面側パターン７３ｃのピッチ６ｍｍの整数倍に相当することにより、他面７３ｂ側から視認した場合に一様の模様を有した面光源として用いることができる。
【００４３】
また、導光板に形成された凹状のパターンの応用例に関し、図８に示す導光板７４において、一面７４ａに形成され他面７４ｂ側から視認される一面側パターン７４ｃが、他面７４ｂに形成された他面側パターン７４ｄと比較して、４倍の大きさになるように形成されている。さらに、導光板７４において、他面７４ｂに他面側パターン７４ｄがマトリクス状に複数群形成され、一面７４ａに一面側パターン７４ｃが一様に形成されている。この様な導光板７４によれば、導光板７２と同様の効果を得ることができる。また、導光板７４では、一面７４ａに一面側パターン７４ｃがマトリクス状に複数群形成されていることから、パターンの有無による拡散光の効果が強調され所定の周期的な模様を有した面光源として用いることができる。
【００４４】
第１の実施形態の照明装置１を構成する保持部材４０は、基板２０を保持し、基板２０の長手方向に沿って延在し開口部を有した筒状から成る。この様な保持部材４０は、例えば、アルミニウムから成り、外周面４０ａ及び内周面４０ｂにより所定の厚みを有した円筒形状から形成されている。また、保持部材４０の内周面４０ｂには、一組の凸部から形成された第１基板接合部４０ｃ及び第２基板接合部４０ｄが、対向して形成されている。ここで、保持部材４０の第１基板接合部４０ｃ及び第２基板接合部４０ｄには、前述した基板２０の一端２０ｂ及び他端２０ｃがそれぞれ挿入されて接合されている。また、保持部材４０の開口部の端面に相当する第１導光板接合部４０ｅ及び第２導光板接合部４０ｆには、前述した導光板３０の第１突出凹状部３０ｉ及び第２突出凹状部３０ｊがそれぞれ挿入されて接合されている。なお、保持部材４０の第１導光板接合部４０ｅ及び第２導光板接合部４０ｆの形状及び間隔は、図２に記載された構成に限定されず、例えば、図４（ａ）乃至図４（ｊ）に示す導光板６１乃至導光板６８'の一対の凹状部又は切欠部に合わせて、決定する。また、保持部材４０の長手方向の両端に設けられた第１支持部材接合部４０ｇ及び第２支持部材接合部４０ｈには、後述する一対の支持部材５０が挿入されて固定されている。
【００４５】
第１の実施形態の照明装置１を構成する支持部材５０は、導光板３０が保持部材４０の開口部に取り付けられ棒状に一体に組み合わされた状態で、導光板３０及び保持部材４０の両端又は片端に設けられ、導光板３０及び保持部材４０を支持する。この様な支持部材５０は、例えば、アルミニウムから成り、円柱形状から形成されている。また、支持部材５０は、図２に示すように、一対から成る。ここで、一対の支持部材５０の各接続部５０ａが、保持部材４０の第１支持部材接合部４０ｇ及び第２支持部材接合部４０ｈにそれぞれ挿入され、例えば図示せぬネジでネジ留め、又は接着剤により接着固定されている。
【００４６】
次に、照明装置１の実施形態の例について、図９の各図及び図１０を参照しながら、具体的に説明する。
【００４７】
照明装置１の実施形態の例に関し、図９（ａ）に示す照明装置１は、収納容器の扉Ｄ１の開口部Ｔ１に配設されている。したがって、扉Ｄ１を開いた時に、特に、該扉Ｄ１の開口部Ｔ１に近い部分の収納物を、効果的に照明することができる。また、図９（ｂ）に示す照明装置１は、収納容器の扉Ｄ２の回動部Ｔ２に配設されている。したがって、扉Ｄ２を開いた時に、該扉Ｄ２の開き具合に依存せず、収納物を一定の照度で、効果的に照明することができる。同様に、図９（ｃ）に示す照明装置１は、収納容器の扉Ｄ３の下部Ｔ３に配設されている。したがって、扉Ｄ３を開いた時に、特に、該扉Ｄ３の下方に載置された収納物を、効果的に照明することができる。なお、例えば、扉の開口部Ｔ１、回動部Ｔ２、及び下部Ｔ３の全ての箇所に、照明装置１を配設する構成としても良い。
【００４８】
また、照明装置１の実施形態の例に関し、図１０（ａ）に示す照明装置１は、例えば、収納設備に設けられた収納容器Ｈの側板Ｔ４に配設している。したがって、収納容器Ｈを開いた場合に、該収納容器Ｈの内部に収納された収納物を効果的に照明することができる。また、図１０（ｂ）に示す照明装置１は、例えば、収納設備に設けられた収納容器Ｈの内壁Ｔ５に配設している。したがって、収納容器Ｈを開いた場合に、該収納容器Ｈの内部に収納された収納物を効果的に照明することができる。ここで、例えば、図９に示す各扉又は図１０に示す収納容器Ｈに、図示せぬ開閉センサーを設け、各扉又は収納容器Ｈが開いている場合にのみ、光源１０に駆動電力が供給される構成とする。また、光源１０に電気的に接続され一定の照度以下の場合に光源１０への駆動電力の供給を指示する図示せぬ検出部材を、照明装置１や各扉又は収納容器Ｈに設ける構成としても良い。
【００４９】
以上、第１の実施形態の照明装置１によれば、例えば図２乃至図８に示すいずれかの導光板を配設し、例えば収納設備の収納容器に収納されている物品又は収納設備の周囲を、配光角が大きい拡散光により広範囲に照明する構成により、例えば複数載置された照明対象物を同時に且つ容易に確認することができる。
【００５０】
具体的には、第１の実施形態の照明装置１によれば、例えば図３（ｃ）に示す導光板３３を配設すると、一面３３ａから入射された光が該一面３３ａに対して傾斜した他面３３ｂに照射され、該他面３３ｂから光を広角に導出させることができる。また、第１の実施形態の照明装置１によれば、図３（ｄ）に示す導光板３４を配設すると、一面３４ａから入射された光が、該一面３４ａに対して傾斜した他面３４ｂで反射され、導光板３４の内部で多重反射し易くなる。したがって、導光板３４の他面３４ｂから外部に導出される光の割合が減少し、一側面３４ｅ及び他側面３４ｆからの光の取り出し効率を向上させることができ、且つ他面３４ｂから光を広角に導出させることができる。
【００５１】
また、第１の実施形態の照明装置１によれば、例えば図３（ｅ）に示す導光板３５を配設すると、該導光板３５の他面３５ｂから導出される光を、拡散させると共に平坦化できる。具体的には、導光板３５の一面３５ａが光源１０に沿って内側に湾曲して形成されていることから、一面３５ａに入射した光源１０の光は、導光板３５の内部に拡散した状態で伝搬する。さらに、光源１０の光軸中心１０ａと、導光板３５の他面３５ｂに２つ形成された凸状の第１曲面３５ｍ及び第２曲面３５ｎの境目とが、一致していることから、導光板３５の他面３５ｂから導出される光は、さらに拡散すると共に平坦化される。具体的には、光源１０の光軸中心１０ａの中心から周辺に向かって、該光源１０の光量が相対的に低下するため、導光板３５の他面３５ｂの中心付近における光の導出効率よりも、導光板３５の他面３５ｂの中心から離間した箇所における光の導出効率の方が良くなるように、光源１０の光軸中心１０ａをはさむ様に、導光板３５の他面３５ｂに銀杏形から成る凸状の第１曲面３５ｍ及び第２曲面３５ｎが形成されている。
【００５２】
同様に、第１の実施形態の照明装置１によれば、例えば図４（ｃ）に示す導光板６３を配設すると、一面６３ａに形成された一面側パターン６３ｃと、他面６３ｂに形成された他面側パターン６３ｄとが、対面非同一であってマトリクス状に複数群形成されていることから、パターンの有無による拡散光の効果が強調され、一定の領域毎に光の明暗が発生する特徴を有した光を他面６３ｂ側から導出させることができる。また、第１の実施形態の照明装置１によれば、例えば図４（ｆ）に示す導光板６６を配設すると、一面６６ａから入射された光が、該一面６６ａに対して傾斜した突出面６６ｒで反射され、導光板６６の内部で多重反射し易い。したがって、導光板６６の突出面６６ｒから外部に導出される光の割合が減少し、一側面６６ｅ及び他側面６６ｆからの光の取り出し効率を向上させることができ、且つ突出面６６ｒから光を広角に導出させることができる。
【００５３】
同様に、第１の実施形態の照明装置１によれば、例えば図６に示す導光板７２を配設すると、他面７２ｂ側から導光板７２を視認した場合に、４つの他面側パターン７２ｄの中心部に、大きさが他面側パターン７２ｄの４倍の一面側パターン７２ｃが位置していることから、所定の周期的な模様を有した面光源として用いることができる。また、第１の実施形態の照明装置１によれば、例えば図８に示す導光板７４を配設すると、一面７４ａに一面側パターン７４ｃがマトリクス状に複数群形成されていることから、パターンの有無による拡散光の効果が強調され所定の周期的な模様を有した面光源として用いることができる。
【００５４】
さらに、第１の実施形態の照明装置１において、例えば図９（ｂ）に示す照明装置１は、収納容器の扉Ｄ２の回動部Ｔ２に配設されている。したがって、扉Ｄ２を開いた時に、該扉Ｄ２の開き具合に依存せず、収納物を一定の照度で、効果的に照明することができる。また、例えば図１０に示す照明装置１は、収納設備に設けられた収納容器Ｈの側板Ｔ４に配設されている。したがって、収納容器Ｈを開いた場合に、該収納容器Ｈの内部に収納された収納物を効果的に照明することができると共に、収納容器Ｈの強度を補強することができる。
【００５５】
［第２の実施形態］
次に、本発明の第２の実施形態に係る照明装置２について、図１１を参照しながら、具体的に説明する。
【００５６】
なお、本発明の第２の実施形態の照明装置２は、図１１に示すように、照明装置２を収納容器Ｈの梁として用いていることに特徴を有している。また、それ以外の第２の実施形態に係る構成は、第１の実施形態で述べた構成と同様である。そこで、第２の実施形態においては、第１の実施形態と異なる構成について中心に説明する。
【００５７】
本発明の第２の実施形態の照明装置２は、図１１に示すように、照明装置２を、例えば収納設備に設けられた収納容器Ｈの梁として用いている。なお、一般的な収納容器は、収納容器の強度を補強し且つ本体側に連結するために、該収納容器の側板の上部に梁を設ける構成が多い。そこで、照明装置２を、例えば収納設備に設けられた収納容器Ｈの梁として用いれば、収納容器の強度を補強し且つ本体側に連結する部材として用いることができると共に、収納容器の内部に収納された物品を照明することができる。
【００５８】
以上、第２の実施形態の照明装置２によれば、第１の実施形態の照明装置１と同様に、例えば図２乃至図８に示すいずれかの導光板を配設し、例えば収納設備の収納容器に収納されている物品又は収納設備の周囲を、配光角が大きい拡散光により広範囲に照明する構成により、例えば複数載置された照明対象物を同時に且つ容易に確認することができる。
【００５９】
具体的には、第２の実施形態の照明装置２によれば、図１１に示すように、照明装置２を、例えば収納設備に設けられた収納容器Ｈの梁として用いている。したがって、照明装置２を、収納容器の強度を補強し且つ本体側に連結する部材として用いることができると共に、収納容器Ｈの内部に収納された物品を照明することができる。
【００６０】
［第３の実施形態］
次に、本発明の第３の実施形態に係る照明装置３について、図１２を参照しながら、具体的に説明する。
【００６１】
なお、本発明の第３の実施形態の照明装置３は、図１２に示すように、例えば、収納設備に設けられた収納容器Ｈを引き出した場合に、該収納容器Ｈの動作に連動して収納設備の内部を移動した上、収納容器Ｈに収納された物品に近接した状態で照明することに特徴を有している。また、それ以外の第３の実施形態に係る構成は、第１及び第２の実施形態で述べた構成と同様である。そこで、第３の実施形態においては、第１及び第２の実施形態と異なる構成について中心に説明する。
【００６２】
本発明の第３の実施形態の照明装置３は、図１２に示すように、該照明装置３を移動可能に保持する移動部材８０を設けている。この様な移動部材８０により、本発明の第３の実施形態の照明装置３は、図１２（ａ）に示すように収納容器Ｈが引き出されていない状態では収納設備の内部に格納される一方、図１２（ｂ）に示すように収納容器Ｈを引き出す動作に連動して収納設備の端部に移動する。この様な移動部材８０は、支持部８１、保持部８２、梁８３、連結部８４、及び係留部８５から構成される。ここで、移動部材８０の支持部８１は、例えば、アルミニウムから成り、棒状に形成され、照明装置３の一端を支持している。また、移動部材８０の保持部８２は、例えば、強化プラスチックスから成り、内部に空間を有した長方体形状に形成され、収納設備に備えられ支持部８１を移動可能に保持している。また、移動部材８０の梁８３は、例えば、強化プラスチックスから成り、収納容器Ｈに配設されている。また、移動部材８０の連結部８４は、例えばバネから成り、保持部８２と連結部８４とを連結している。また、移動部材８０の係留部８５は、例えばアルミニウムから成り、円筒形状に形成され、保持部８２に収納された支持部８１に接合されている。ここで、図１２（ｂ）に示すように収納容器Ｈを引き出すと、移動部材８０の係留部８５が保持部８２の一端に係留され、該収納容器Ｈの移動が制止される。なお、移動部材８０の係留部８５が保持部８２の一端に係留されている間、係留部８５に設けられた図示せぬセンサーにより、照明装置３が点灯する構成とする。
【００６３】
以上、第３の実施形態の照明装置３によれば、第１の実施形態の照明装置１と同様に、例えば図２乃至図８に示すいずれかの導光板を配設し、例えば収納設備の収納容器に収納されている物品又は収納設備の周囲を、配光角が大きい拡散光により広範囲に照明する構成により、例えば複数載置された照明対象物を同時に且つ容易に確認することができる。
【００６４】
具体的には、第３の実施形態の照明装置３によれば、図１２に示すように、該照明装置３を移動可能に保持する移動部材８０を設け、収納設備に設けられた収納容器Ｈを引き出した場合に、該収納容器Ｈの動作に連動して収納設備の内部を移動した上、収納容器Ｈに収納された物品に近接した状態で照明する。したがって、例えば夜間であり室内の照明機器が消灯している状態でも、収納容器Ｈの内部に収納された収納物を例えば斜め方向から効率良く照明することができることから、収納容器Ｈの内部に収納された収納物の位置や状態を容易に確認することができる。また、照明装置３は、収納容器Ｈを引き出しても、収納設備の端部に移動した状態で停止することから、収納容器Ｈから物品を取り出したり、物品を収納する際に、該照明装置３が干渉することを防止できる。
【００６５】
［第４の実施形態］
次に、本発明の第４の実施形態に係る照明装置４について、図１３を参照しながら、具体的に説明する。
【００６６】
なお、本発明の第４の実施形態の照明装置４は、図１３に示すように、支持部材５０を固定する固定部材９０を設け、照明装置４を収納設備に配設される扉の取手として用いていることに特徴を有している。また、それ以外の第４の実施形態に係る構成は、第１乃至第３の実施形態で述べた構成と同様である。そこで、第４の実施形態においては、第１乃至第３の実施形態と異なる構成について中心に説明する。
【００６７】
本発明の第４の実施形態の照明装置４は、図１３に示すように、支持部材５０を固定する固定部材９０を設けている。この様な固定部材９０は、例えば、一対から成る。また、固定部材９０は、例えば、プラスチックスから成り、一端に曲面を有した長方体形状から形成されている。ここで、固定部材９０には、支持部材５０を挿入して固定するための穴９０ａが開口されている。また、固定部材９０の内部に、基板２０のコネクタ２０ｄに接続され、光源１０に駆動電力を供給する図示せぬ電源基板を備える構成としても良い。同様に、固定部材９０の内部に、光源１０に駆動電力を供給する例えば図示せぬ乾電池等の電源を備える構成としても良い。また、照明装置４の実施形態の例に関し、図１３に示す照明装置４は、収納容器の扉Ｄ４の取手として用いられている。したがって、例えば夜間であり室内の照明機器が消灯している状態でも、扉Ｄ４の取手の位置を容易に認識することができ、且つ該扉Ｄ４を開けて内部に収納された収納物を照明することができる。また、光源１０に電気的に接続され一定の照度以下の場合に光源１０への駆動電力の供給を指示する図示せぬ検出部材を、照明装置４や扉Ｄ４に設ける構成としても良い。
【００６８】
以上、第４の実施形態の照明装置４によれば、第１の実施形態の照明装置１と同様に、例えば図２乃至図８に示すいずれかの導光板を配設し、例えば収納設備の収納容器に収納されている物品又は収納設備の周囲を、配光角が大きい拡散光により広範囲に照明する構成により、例えば複数載置された照明対象物を同時に且つ容易に確認することができる。
【００６９】
具体的には、第４の実施形態の照明装置４によれば、図１３に示すように、支持部材５０を固定する固定部材９０を設け、収納容器の扉Ｄ４の取手として用いられている。したがって、該扉Ｄ４を開けて内部に収納された収納物を照明することができる。さらに、第４の実施形態の照明装置４によれば、例えば夜間であり室内の照明機器が消灯している状態でも、収納設備である扉Ｄ４の周囲を、配光角が大きい拡散光により広範囲に照明して、例えば、該扉Ｄ４の取手である照明装置４を容易に認識することができる。
【００７０】
［第５の実施形態］
次に、本発明の第５の実施形態に係る照明装置５について、図１４を参照しながら、具体的に説明する。
【００７１】
なお、本発明の第５の実施形態の照明装置５は、図１４に示すように、支持部材５０を貫通して固定する固定部材１００を設け、照明装置５を収納設備に配設されるハンガーとして用いていることに特徴を有している。また、それ以外の第５の実施形態に係る構成は、第１乃至第４の各実施形態で述べた構成と同様である。そこで、第５の実施形態においては、第１乃至第４の各実施形態と異なる構成について中心に説明する。
【００７２】
本発明の第５の実施形態の照明装置５は、図１４に示すように、支持部材５０を貫通して固定する固定部材１００を設けている。この様な固定部材１００は、例えば、一対から成る。また、固定部材１００は、基本的に第４の実施形態の照明装置４に設けられた固定部材９０の構成と同様であるが、支持部材５０を貫通した状態で固定するための貫通穴１００ａが開口されている。また、照明装置５の実施形態の例に関し、図１４に示す照明装置５は、収納設備の壁面Ｗにハンガーして用いられている。したがって、例えば夜間であり室内の照明機器が消灯している状態でも、壁面Ｗに配設されたハンガーの位置を容易に認識することができ、且つハンガーに掛けた例えばタオルの状態を容易に確認することができる。また、光源１０に電気的に接続され一定の照度以下の場合に光源１０への駆動電力の供給を指示する図示せぬ検出部材を、照明装置５や壁面Ｗに設ける構成としても良い。
【００７３】
以上、第５の実施形態の照明装置５によれば、第１及び第４の実施形態の照明装置１及び照明装置４と同様に、例えば図２乃至図８に示すいずれかの導光板を配設し、例えば収納設備の収納容器に収納されている物品又は収納設備の周囲を、配光角が大きい拡散光により広範囲に照明する構成により、例えば複数載置された照明対象物を同時に且つ容易に確認することができる。
【００７４】
具体的には、第５の実施形態の照明装置５によれば、図１４に示すように、支持部材５０を貫通して固定する固定部材１００を設け、収納設備の壁面Ｗにハンガーして用いられている。したがって、例えば夜間であり室内の照明機器が消灯している状態でも、ハンガーに掛ける例えば図示せぬタオルの状態を容易に確認することができる。さらに、第５の実施形態の照明装置５によれば、図１４に示すように、例えば夜間であり室内の照明機器が消灯している状態でも、壁面Ｗの周囲を、配光角が大きい拡散光により広範囲に照明して、例えば、ハンガーである照明装置５を容易に認識することができる。
【００７５】
さらに、本発明の第１乃至第５の実施形態に係る照明装置１乃至照明装置５に設けられた各導光板の製造方法について、具体的に説明する。
【００７６】
導光板の製造方法には、例えば超音波加工、加熱加工、切削加工、レーザ加工、成型加工、及びシルク印刷加工を用いることができる。したがって、導光板の仕様やコスト及び必要数量等に応じて、各加工方法を選択することにより、凹状又は凸状のパターンを導光板の各面に精度良く安定的に形成することができる。以下、導光板の製造方法について詳細に説明する。超音波加工では、導光板の各面に当接させた超音波加工用ホーンの超音波の振動を用いて、導光板の各面を部分的に溶融させることにより、該各面に凹状のパターンを形成する。また、加熱加工では、導光板の各面に当接させた加工具の熱を用いて、導光板の各面を部分的に溶融させることにより、該各面に凹状のパターンを形成する。同様に、切削加工では、導光板の各面に当接しながら回転又は付勢させた切削工具を用いて、導光板の各面を部分的に削り取ることにより、該各面に凹状のパターンを形成する。同様に、レーザ加工では、導光板の各面に集光させたレーザ光の熱を用いて、導光板の各面を部分的に溶融させることにより、該各面に凹状のパターンを形成する。同様に、成型加工では、成型する導光板の外形形状を反映させた形状を金型の内部に形成し、例えば射出成型機に装着した金型に対して加熱して軟化させた樹脂を注入してから、該樹脂を冷却させることにより、導光板の各面に凹状のパターン、凸状のパターン、又は凹状及び凸状のパターンを形成する。
【００７７】
また、導光板の製造方法に関し、シルク印刷加工では、導光板の各面に対して所定の孔が開口した版を当接させ、孔を介して硬化性の樹脂を各面に付着させて、該各面を部分的に樹脂で被覆させることにより、該各面に凸状のパターンを形成する。また、成型加工又はシルク印刷加工に用いる導光板の基材である樹脂に、例えば拡散光を発する微粒子状の拡散部材を添加しても良い。同様に、上述した超音波加工、加熱加工、切削加工、又はレーザ加工を行う導光板の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板を形成しても良い。具体的には、例えば成型加工により導光板の外形形状のみを形成した上で、例えば超音波加工により導光板の各面に凹状のパターンを形成しても良い。同様に、例えば成型加工により導光板の外形形状のみを形成した上で、例えばシルク印刷加工により導光板の各面に凸状のパターンを形成しても良い。
【００７８】
最後に、本願発明に係る第１乃至第５の実施形態に係る照明装置１乃至照明装置５の構成と主な作用効果について、請求項毎に説明する。
【００７９】
請求項１に記載の照明装置１乃至５は、収納設備に配設され、該収納設備に設けられた物品又は該収納設備の周囲を照明する照明装置であって、発光する光源１０と、光源１０が配設された基板２０と、基板２０に配設された光源１０の前方に設けられ、基板２０の長手方向に沿って延在し光源１０の光を導出させる導光板３０、３１、３２、３３、３４、３５、６１、６２、６３、６４、６５、６６、６７、６７'、６８、６８'、７１、７２、７３、及び７４と、基板２０を保持し、基板２０の長手方向に沿って延在し開口部を有した筒状から成る保持部材４０と、導光板３０、３１、３２、３３、３４、３５、６１、６２、６３、６４、６５、６６、６７、６７'、６８、６８'、７１、７２、７３、及び７４が保持部材４０の開口部に取り付けられ棒状に一体に組み合わされた状態で、導光板３０、３１、３２、３３、３４、３５、６１、６２、６３、６４、６５、６６、６７、６７'、６８、６８'、７１、７２、７３、及び７４及び保持部材４０の両端又は片端に設けられ、導光板３０、３１、３２、３３、３４、３５、６１、６２、６３、６４、６５、６６、６７、６７'、６８、６８'、７１、７２、７３、及び７４及び保持部材４０を支持する支持部材５０とを有することを特徴としている。さらに、光源１０に対面する導光板３０、３１、３２、３３、３４、３５、６４、７２、７３、及び７４の一面、該一面に対向する導光板３０、３１、３２、３３、３４、３５、６４、７２、７３、及び７４の他面、又は保持部材４０から突出した導光板３０、３１、３２、３３、３４、３５、６４、７２、７３、及び７４の側面に、光源１０の光を拡散光として導出させる異なる大きさの凹状のドットパターンが形成されていることを特徴としている。さらに、前記導光板の長手方向の両側面に突出凹状部が形成されており、当該突出凹状部が前記保持部材の導光板接合部に係留されることを特徴とする。
【００８０】
この様な請求項１に記載の照明装置１乃至５によれば、例えば図２乃至図８に示すいずれかの導光板を配設し、例えば収納設備の収納容器に収納されている物品又は収納設備の周囲を、配光角が大きい拡散光により広範囲に照明する構成により、例えば複数載置された照明対象物を同時に且つ容易に確認することができる。さらに、この様な請求項１に記載の照明装置１乃至５によれば、例えば図４（ｄ）に示す導光板６４には、光源１０に対面する導光板６４の一面６４ａに凹状の一面側パターン６４ｃが形成され、且つ導光板６４の他面６４ｂに対して、一面側パターン６４ｃよりも大きい凹状の他面側パターン６４ｄが形成されている。ここで、導光板６４に形成された一面側パターン６４ｃ及び他面側パターン６４ｄに対して光源１０の光を照射することにより、それぞれ拡散光を発生させることができる。そして、一面側パターン６４ｃよりも他面側パターン６４ｄの方が大きく形成されていることから、一面側パターン６４ｃと比較して他面側パターン６４ｄの方が相対的に大きな拡散光が発生する。したがって、導光板６４の他面６４ｂから導出される光の明暗の差を小さくすることができる。また、例えば図６に示す導光板７２において、該導光板７２の一面７２ａに形成され他面７２ｂ側から視認される一面側パターン７２ｃが、他面７２ｂに形成された他面側パターン７２ｄと比較して、４倍の大きさになるように形成されている。ここで、該導光板７２の他面７２ｂに形成された他面側パターン７２ｄで発生する拡散光よりも、一面７２ａに形成された一面側パターン７２ｃで発生する拡散光の方が、該導光板７２の他面７２ｂ側から導出される割合が高いため、他面７２ｂ側から効率良く光を導出させることができる。
【００８３】
請求項２に記載の照明装置１乃至５は、請求項１に従属し、導光板３０、３１、３２、３３、３４、３５、６４、７２、７３、及び７４の一面及び他面に、異なる大きさの凹状のドットパターンが、対面非同一に又は対面同一に形成されていることを特徴としている。
【００８４】
この様な請求項２に記載の照明装置１乃至５によれば、例えば図４（ｄ）に示す導光板６４には、光源１０に対面する導光板６４の一面６４ａに凹状の一面側パターン６４ｃが形成され、且つ該一面側パターン６４ｃと対面非同一になるように、導光板６４の他面６４ｂに対して、一面側パターン６４ｃよりも大きい凹状の他面側パターン６４ｄが形成されている。この様な導光板６４によれば、一面６４ａに形成された一面側パターン６４ｃと他面６４ｂに形成された他面側パターン６４ｄが対面非同一に形成されており、他面６４ｂ側から視認される単位面積当たりのパターンの数が増加するため、導光板６４の他面６４ｂ側から導出される光の明暗の差を小さくすることができる。また、一面側パターン６４ｃと対面同一となるように、他面側パターン６４ｄを形成した場合、一面６４ａに形成され他面６４ｂ側から視認される一面側パターン６４ｃで発生した拡散光の大部分と、他面６４ｂに形成され該他面６４ｂ側から視認される他面側パターン６４ｄで発生した拡散光の一部とを、導出させることができる。
【００８８】
請求項３に記載の照明装置１乃至５は、請求項１に従属し、導光板３０、３１、３２、３３、３４、３５、６４、７２、７３、及び７４の一面及び他面に、異なる大きさの凹状のドットパターンが、同一又は異なる間隔で形成されていることを特徴としている。
【００８９】
この様な請求項３に記載の照明装置１乃至５によれば、例えば図６に示す導光板７２において、一面７２ａに形成され他面７２ｂ側から視認される一面側７２ｃが、他面７２ｂに形成された他面側パターン７２ｄと比較して、４倍の大きさになるように形成されている。また、導光板７２において、他面７２ｂに形成された他面側パターン７２ｄが、一面７２ａに形成された一面側パターン７２ｃと比較して、４倍の密度になるように形成されている。この様な導光板７２によれば、例えば領域７２ｋに示すように、他面７２ｂに形成された４つの他面側パターン７２ｄの中心部に、一面７２ａに形成され他面７２ｂ側から視認される一面側パターン７２ｃが位置するよう、他面側パターン７２ｄに対する一面側パターン７２ｃの位置を、所定の距離だけＸ軸及びＹ軸方向に異ならせている。したがって、他面７２ｂ側から導光板７２を視認した場合に、４つの他面側パターン７２ｄの中心部に大きさが他面側パターン７２ｄの４倍の一面側パターン７２ｃが位置していることから、識別容易な所定の周期的な模様を有した面光源として用いることができる。
【００９０】
請求項４に記載の照明装置１乃至５は、請求項１に従属し、例えば導光板７４の一面又は他面に、マトリクス状に形成された異なる大きさの凹状のドットパターンが、複数群設けられていることを特徴としている。
【００９１】
この様な請求項４に記載の照明装置１乃至５によれば、例えば図８に示す導光板７４には、一面７４ａに形成され他面７４ｂ側から視認される一面側パターン７４ｃが、他面７４ｂに形成された他面側パターン７４ｄと比較して、４倍の大きさになるように形成されている。さらに、導光板７４において、他面７４ｂに他面側パターン７４ｄがマトリクス状に複数群形成され、一面７４ａに一面側パターン７４ｃが一様に形成されている。この様な導光板７４によれば、一面７４ａに一面側パターン７４ｃがマトリクス状に複数群形成されていることから、パターンの有無による拡散光の効果が強調され所定の周期的な模様を有した面発光源として用いることができる。
【００９２】
請求項５に記載の照明装置１乃至５は、請求項１に従属し、導光板６４の他面に形成された凹状のドットパターンは、導光板６４の一面に形成された凹状のドットパターンよりも大きいことを特徴としている。
【００９３】
この様な請求項５に記載の照明装置１乃至５によれば、例えば図４（ｄ）に示す導光板６４には、導光板６４の一面６４ａに形成された凹状の一面側パターン６４ｃと、他面６４ｂに形成された凹状の他面側パターン６３ｄが、異なる大きさで形成されている。この様な導光板６４によれば、他面６４ｂに形成された他面側パターン６４ｄで発生する拡散光よりも、一面６４ａに形成された一面側パターン６４ｃで発生する拡散光の方が、該導光板６４の他面６４ｂ側から導出される割合が高い。一方、導光板６４では、一面側パターン６４ｃよりも他面側パターン６３ｄの方が大きく形成されていることから、一面側パターン６４ｃと比較して他面側パターン６３ｄの方が相対的に大きな拡散光が発生する。したがって、導光板６２の他面６２ｂから導出される光の明暗の差を小さくすることができる。
【００９４】
請求項６に記載の照明装置１乃至５は、請求項１に従属し、導光板３０、３１、３２、３３、３４、３５、６４、７２、７３、及び７４は、基板２０の短手方向に沿って湾曲していることを特徴としている。
【００９５】
この様な請求項６に記載の照明装置１乃至５によれば、導光板３０、３１、３２、３３、３４、３５、６４、７２、７３、及び７４と保持部材４０とを、例えば円柱形状から成る棒状に組み合わせて形成することができる。
【００９８】
請求項７に記載の照明装置１乃至５は、請求項１に従属し、導光板３５は、光源１０に対面する該導光板３５の一面が光源１０に沿って内側に湾曲して形成され、且つ該導光板３５の一面に対向する他面が複数の凸状の曲面から形成されていることを特徴としている。
【００９９】
この様な請求項７に記載の照明装置１乃至５によれば、例えば図３（ｅ）に示す導光板３５には、光源１０に対面する該導光板３５の一面３５ａが光軸中心１０に沿って内側に湾曲して形成され、且つ該導光板３５の一面３５ａに対向する他面３５ｂが複数の凸状の曲面から形成されている。また、導光板３５の一面３５ａと他面３５ｂの間に設けられた一側面３５ｅ及び他側面３５ｆが、曲面から形成されている。この様な導光板３５によれば、一面３５ａが光源１０に沿って内側に湾曲して形成されていることから、一面３５ａに入射した光源１０の光が、導光板３５の内部に拡散した状態で伝搬する。さらに、導光板３５の他面が複数の凸状の曲面から形成されていることから、該導光板３５の他面３５ｂから導出される光を、さらに拡散させると共に平坦化できる。
【０１０２】
請求項８に記載の照明装置１乃至５は、請求項１に従属し、収納設備に配設され、取手、ハンガー、側壁、蝶番、又は梁として機能することを特徴としている。
【０１０３】
この様な請求項８に記載の照明装置１乃至５によれば、収納設備に配設され、本来は照明機能を有していない取手、ハンガー、側壁、蝶番、又は梁を発光させることにより、収納設備の収納容器に収納されている物品を、配光角が大きい拡散光により広範囲に照明して、該物品の位置や状態を容易に確認することができる。具体的には、例えば図９（ｂ）に示す照明装置１は、収納容器の扉Ｄ２の回動部Ｔ２に配設されている。したがって、扉Ｄ２を開いた時に、該扉Ｄ２の開き具合に依存せず、収納物を一定の照度で、効果的に照明することができる。
【０１０４】
請求項９に記載の照明装置３は、収納設備に設けられ、該収納設備に設けられた収納容器の動作に連動して移動する移動部材８０を更に有することを特徴としている。
【０１０５】
この様な請求項９に記載の照明装置３によれば、図１２に示すように、該照明装置３を移動可能に保持する移動部材８０を設け、収納設備に設けられた収納容器Ｈを引き出した場合に、該収納容器Ｈの動作に連動して収納設備の内部を移動した上、収納容器Ｈに収納された物品に近接した状態で照明する。したがって、例えば夜間であり室内の照明機器が消灯している状態でも、収納容器Ｈの内部に収納された収納物を例えば斜め方向から効率良く照明することができることから、収納容器Ｈの内部に収納された収納物の位置や状態を容易に確認することができる。また、照明装置３は、収納容器Ｈを引き出しても、収納設備の端部に移動した状態で停止することから、収納容器Ｈから物品を取り出したり、物品を収納する際に、該照明装置３が干渉することを防止できる。
【０１０６】
請求項１０に記載の照明装置１乃至５は、請求項１に従属し、光源１０に電気的に接続され、一定の照度以下の場合に光源１０への駆動電力の供給を指示する検出部材を更に有することを特徴としている。
【０１０７】
この様な請求項１０に記載の照明装置１乃至５によれば、光源１０に電気的に接続され一定の照度以下の場合に光源１０への駆動電力の供給を指示する図示せぬ検出部材を、照明装置１や各扉又は収納容器Ｈに設ける構成とすることにより、照度が十分な場合に光源１０を点灯させず、不必要な電力の消費を抑制することができる。
【０１０８】
請求項１１に記載の照明装置４及び５は、請求項１に従属し、支持部材５０を挿入する穴が形成され、該支持部材５０を固定する固定部材９０及び１００を更に有することを特徴としている。
【０１０９】
この様な請求項１１に記載の照明装置４によれば、例えば収納設備の物品の位置や状態を容易に確認することができる。具体的には、照明装置４によれば、図１３に示すように、支持部材５０を固定する固定部材９０を設け、収納容器の扉Ｄ４の取手として用いられている。したがって、例えば夜間であり室内の照明機器が消灯している状態でも、扉Ｄ４の取手の位置を容易に認識することができ、且つ該扉Ｄ４を開けて内部に収納された収納物を照明することができる。
【０１１０】
また、この様な請求項１１に記載の照明装置５によれば、例えば収納設備の物品を、配光角が大きい拡散光により広範囲に照明して、該物品の位置や状態を容易に確認することができる。具体的には、第５の実施形態の照明装置５によれば、図１４に示すように、支持部材５０を貫通して固定する固定部材１００を設け、収納設備の壁面Ｗにハンガーして用いられている。したがって、例えば夜間であり室内の照明機器が消灯している状態でも、壁面Ｗに配設されたハンガーの位置を容易に認識することができ、且つハンガーに掛けた例えばタオルの状態を容易に確認することができる。
【０１１１】
請求項１２に記載の照明装置４及び５は、請求項１１に従属し、固定部材９０及び１００は、該固定部材９０及び１００の内部に光源１０に駆動電力を供給する電源基板を備えたことを特徴としている。
【０１１２】
この様な請求項１２に記載の照明装置４及び５によれば、固定部材９０又は１００の内部に、例えば、基板２０のコネクタ２０ｄに接続され、光源１０に駆動電力を供給する図示せぬ電源基板を備えることにより、照明装置４及び５を容易に取り扱うことができる。
【符号の説明】
【０１１３】
１，２，３，４，５  照明装置
１０  光源
１０ａ  光軸中心
２０  基板
２０ａ  表面
２０ｂ  一端
２０ｃ  他端
２０ｄ  コネクタ
２０ｅ  制御回路
３０，３１，３２，３３，３４，３５，６１，６２，６３，６４，６５，６６，６７，６７'，６８，６８'，７１，７２，７３，７４  導光板
３０ａ，３１ａ，３２ａ，３３ａ，３４ａ，３５ａ，６１ａ，６２ａ，６３ａ，６４ａ，６５ａ，６６ａ，６７ａ，６７'ａ，６８ａ，６８'ａ，７１ａ，７２ａ，７３ａ，７４ａ  一面
３０ｂ，３１ｂ，３２ｂ，３３ｂ，３４ｂ，３５ｂ，６１ｂ，６２ｂ，６３ｂ，６４ｂ，６５ｂ，６６ｂ，６７ｂ，６７'ｂ，６８ｂ，６８'ｂ，７１ｂ，７２ｂ，７３ｂ，７４ｂ  他面
３４ｅ，３５ｅ，６５ｅ，６６ｅ，６７ｅ，６７'ｅ，６８ｅ，６８'ｅ  一側面
３４ｆ，３５ｆ，６５ｆ，６６ｆ，６７ｆ，６７'ｆ，６８ｆ，６８'ｆ  他側面
３５ｍ  第１曲面
３５ｎ  第２曲面
６５ｒ，６６ｒ  突出面
３０ｉ  第１突出凹状部
３０ｊ  第２突出凹状部
６７ｍ，６８ｍ  第１凹状部
６７ｎ，６８ｎ  第２凹状部
６７'ｐ，６８'ｐ  第１切欠部
６７'ｑ，６８'ｑ  第２切欠部
６１ｃ，６２ｃ，６３ｃ，６４ｃ，６５ｓ，７１ｃ，７２ｃ，７３ｃ，７４ｃ  一面側パターン
６１ｄ，６２ｄ，６３ｄ，６４ｄ，６５ｔ，７１ｄ，７２ｄ，７３ｄ，７４ｄ  他面側パターン
６５ｇ，６６ｇ，６７ｇ，６７'ｇ，６８ｇ，６８'ｇ  一側面側パターン
６５ｈ，６６ｈ，６７ｈ，６７'ｈ，６８ｈ，６８'ｈ  他側面側パターン
７１ｋ，７２ｋ，７３ｋ，７４ｋ  領域
４０  保持部材
４０ａ  外周面
４０ｂ  内周面
４０ｃ  第１基板接合部
４０ｄ  第２基板接合部
４０ｅ  第１導光板接合部
４０ｆ  第２導光板接合部
４０ｇ  第１支持部材接合部
４０ｈ  第２支持部材接合部
５０  支持部材
５０ａ  接続部
８０  移動部材
８１  支持部
８２  保持部
８３  梁
８４  連結部
８５  係留部
９０，１００  固定部材
９０ａ  穴
１００ａ  貫通穴
Ｋ  端子
Ｄ１，Ｄ２，Ｄ３，Ｄ４  扉
Ｔ１  開口部
Ｔ２  回動部
Ｔ３  下部
Ｔ４  側板
Ｔ５  内壁
Ｈ  収納容器
Ｗ  壁面
【図１】
0005729971.tif 000002
【図２】
0005729971.tif 000003
【図３】
0005729971.tif 000004
【図４】
0005729971.tif 000005
【図５】
0005729971.tif 000006
【図６】
0005729971.tif 000007
【図７】
0005729971.tif 000008
【図８】
0005729971.tif 000009
【図９】
0005729971.tif 000010
【図１０】
0005729971.tif 000011
【図１１】
0005729971.tif 000012
【図１２】
0005729971.tif 000013
【図１３】
0005729971.tif 000014
【図１４】
0005729971.tif 000015